(57)【要約】【課題】簡単な構成で表面に裏側の経糸が見えず、裏側には良好にパイルを形成した経編地とそれを用いた保温衣服を提供する。【解決手段】第一の筬Ｌ１により形成され編み組織の左右両方の少なくとも一方が閉じ目の第一組織１４を有する。第二の筬Ｌ２により第一組織１４とともに編成され、少なくとも一方が開き目でパイルを形成した第二組織１５を備える。第三の筬Ｌ３により第一組織１４とともに編成され、少なくとも一方が開き目で形成された第三組織１６を備える。第二組織１５、第三組織１６は、第一組織１４の経糸１１の振り方向とは逆方向に経糸１２，１３を振って編成されている。第一組織１４及び第二組織１５を構成した経糸１１，１２は非弾性糸であり、第三組織１６を構成した経糸１３は弾性糸である。【選択図】図１
2013167030.tif 000002
【特許請求の範囲】
【請求項１】
第一の筬により形成され編み組織の左右両方の少なくとも一方が閉じ目の第一組織と、第二の筬により前記第一組織とともに編成され、少なくとも一方が開き目でパイルを形成した第二組織と、第三の筬により前記第一組織とともに編成され、少なくとも一方が閉じ目で形成された第三組織とから成ることを特徴とする経編地。
【請求項２】
前記第二組織は、前記第二の筬により前記第一組織とともに編成され、前記第一組織の経糸のシンカーループの振り方向とは逆方向に経糸を振って編成されている請求項１記載の経編地。
【請求項３】
前記第三組織は、前記第三の筬により前記第一組織とともに編成され、前記第一組織の経糸の振り方向とは逆方向に経糸を振って編成される請求項１又は２記載の経編地。
【請求項４】
前記第一組織及び第二組織を構成した経糸は非弾性糸であり、前記第三組織を構成した経糸は弾性糸である請求項１乃至３のいずれか記載の経編地。
【請求項５】
前記第一組織は、経糸の振り幅が１針又は２針の振り幅で編成され、前記第二組織は、経糸の振り幅が１針である請求項１又は２記載の経編地。
【請求項６】
前記第二組織の経糸はキュプラである請求項１、２または４記載の経編地。
【請求項７】
請求項１乃至６のいずれか記載の経編地を用いて縫製し、前記第三組織を内側にして形成し、内側に前記第二組織によるパイルが位置している保温衣服。
【発明の詳細な説明】
【技術分野】
【０００１】
この発明は、保温性が高く伸縮性に富んだ経編地とそれを用いた保温衣服に関する。
【背景技術】
【０００２】
近年、縦編み地を用いた衣服として、運動用衣服や防寒用衣服が種々提供されており、例えば特許文献１に開示されているように、少なくとも３種類の編糸により編成された経編生地で、前記編糸のうち少なくとも２種類の編糸が編目形成糸であり１種類の編糸が挿入糸であって、編目形成糸の少なくとも１種類が伸縮性糸で該伸縮性糸のアンダラップ方向と同方向に挿入糸が少なくとも３針に亘り挿入編成されてなるとともに、前記伸縮性糸以外の編目形成糸のニードルループ（裏面側のループ）とシンカーループ（表面側のループ）が、伸縮性糸によるニードルループとシンカーループを隠蔽するように編成されてなり、両方向に伸縮性を有する経編生地が提案されている。
【０００３】
その他、特許文献２に開示されているように、非弾性糸と相対的に細い第１弾性糸と相対的に太い第２弾性糸とを組み合わせて編成された厚手の伸縮性経編地であって、前記非弾性糸の編成組織は、１コース毎に２針の振り幅で１繰り返し単位では２針の合計振り幅を有して全てのコースでループを形成し、前記細い第１弾性糸の編成組織は、１コース毎に１〜２針の振り幅で１繰り返し単位では２〜３針の合計振り幅を有して全てのコースでループを形成し、前記太い第２弾性糸の編成組織は、１コース毎に１〜２針の振り幅で１繰り返し単位では２〜５針の合計振り幅を有して挿入されてなる厚手伸縮性経編地も提案されている。
【先行技術文献】
【特許文献】
【０００４】
【特許文献１】特開平９−１３２５３号公報
【特許文献２】特開２００５−２９９０２６号公報
【発明の概要】
【発明が解決しようとする課題】
【０００５】
上記従来の技術の経編により保温性のある生地を編成しようとする場合、保温率を向上させるためにニードルループ面（裏面、肌側）を起毛させる必要があるが、従来の組織では裏パイルの浮きの量が十分ではなく、そのため満足出来る起毛感を得ることができなかった。特に、ニードルループ面（裏面、肌側）に満足出来る起毛感を得るためには裏パイルの浮きの量を多くしてやらなくてはならないが、十分な裏パイルを得ようとすると、どうしてもパイル糸のシンカーループ面（表面、外側）への露出が避けられなかった。例えば、発熱性を有するキュプラ繊維は摩擦に弱く、染色堅牢度も悪いため、シンカーループ面にパイル糸が飛び出すと品質が低下し、外観上も好ましくないという問題があった。
【０００６】
この発明は、上記背景技術に鑑みて成されたものであり、簡単な構成で表面に裏側の経糸が見えず、裏側には良好にパイルを形成した経編地とそれを用いた保温衣服を提供することを目的とする。
【課題を解決するための手段】
【０００７】
この発明は、第一の筬により形成され編み組織の左右両方の少なくとも一方が閉じ目の第一組織と、第二の筬により前記第一組織とともに編成され、少なくとも一方が開き目でパイルを形成した第二組織と、第三の筬により前記第一組織とともに編成され、少なくとも一方が閉じ目で形成された第三組織とから成る経編地である。
【０００８】
前記第二組織は、前記第二の筬により前記第一組織とともに編成され、前記第一組織の経糸のシンカーループの振り方向とは逆方向に経糸を振って編成されていることが好ましい。また、前記第三組織は、前記第三の筬により前記第一組織とともに編成され、前記第一組織の経糸の振り方向とは逆方向に経糸を振って編成されることが好ましい。
【０００９】
前記第一組織及び第二組織を構成した経糸は非弾性糸であり、前記第三組織を構成した経糸は弾性糸でから成る。
【００１０】
前記第一組織は、経糸の振り幅が１針又は２針の振り幅で編成され、前記第二組織は、経糸の振り幅が１針である。前記第二組織の経糸は、キュプラにより構成するとより好ましい。
【００１１】
またこの発明は、前記経編地を用いて縫製し、前記第三組織を内側にして形成し、内側に前記第二組織によるパイルが位置している保温衣服である。
【発明の効果】
【００１２】
この発明の経編地は、簡単な構造で保温性が高く、安価に形成することができ、裏面側に十分なパイル量とすることができ、しかもパイル糸が外側には露出しないものである。これにより、例えば、発熱繊維のキュプラをパイル糸に用いても、外側にパイル糸が飛び出すことがなく、外観上も良好なものとすることができる。
【００１３】
この発明の縦編地を用いた保温衣服は、良好な保温性と外観を有し、保温性が求められる防寒着や運動着等に好適なものである。
【図面の簡単な説明】
【００１４】
【図１】この発明の第一実施形態の経編地の編組織を示す正面図である。
【図２】この発明の第二実施形態の経編地の編組織を示す正面図である。
【発明を実施するための形態】
【００１５】
以下、この発明の一実施形態の経編地について、図面に基づいて説明する。図１はこの発明の一実施形態の経編地の組織を示す。この実施形態の経編地１０は、トリコットの経編地を形成するもので、表側の第一の筬Ｌ１により形成され、経糸１１により第一の筬Ｌ１の糸位置番号（０１／２３／／、１０／３２／／、０１／３２／／、１０／２３／／）を繰り返すコード編により編成された第一組織１４と、中間位置の経糸１２により第二の筬Ｌ２の糸位置番号（０１／１２／／、１０／２１／／、０１／２１／／）を繰り返して編成された第二組織１５と、裏側の第三の筬Ｌ３により形成され、経糸１３により第三の筬Ｌ３の糸位置番号（０１／２１／／、０１／１２／／、１０／２１／、１０／１２／／）を繰り返すデンビー編の第三組織１６とから成る。
【００１６】
第一組織１４の経糸１１は、非弾性糸の地組織構成糸で、ポリエステルやナイロンの糸が用いされ、太さは、１５〜２００デニールである。第二組織１５の経糸１２は、非弾性糸のパイル糸で、キュプラ、ポリエステル、ナイロン等の糸が用いられ、太さは、１５〜２００デニールである。第三組織１６の経糸１３は、弾性糸である伸縮糸であり、ポリウレタンの糸が用いされ、太さは、２０〜１５０デニールである。
【００１７】
第一組織１４は、編み組織の左右両方閉じ目が好ましいが、少なくとも一方が閉じ目であれば良く、経糸の送り量は通常の編地と同様で良い。経糸１１の振り幅は２針分である。経糸１１の送り量は、１００ｃｍ〜２５０ｃｍ／ＲＡＣＫ（１ＲＡＣＫ＝編み目４８０個分）が好ましい。
【００１８】
第二組織１５は、編み組織の左右両方が開き目の他、少なくとも一方が開き目でも良い。経糸１２は、振り幅が１針分であり、この実施形態では、対向する第１組織１４の経糸１１のシンカーループの送り方向と逆方向に振られている。振り方向は、同方向でも良いが、逆方向にした方がパイルの形成上好ましい。経糸１２の送り量は、裏面側にパイルを形成するために必要な送り量であり、１００ｃｍ〜２５０ｃｍ／ＲＡＣＫが好ましい。
【００１９】
第三組織１６は、編み組織の左右両方が閉じ目の他、少なくとも一方が閉じ目であれば良い。経糸１３は、振り幅が１針分であり、対向する第１組織１４の経糸１１の送り方向と逆方向に振られる。経糸１３の送り量は、７０ｃｍ〜２５０ｃｍ／ＲＡＣＫが好ましい。
【００２０】
この実施形態の経編地１０によれば、簡単な編み組織構造で保温性が高く安価に形成することができ、第二組織１５により裏面側に十分なパイル量を確保することができる。しかも、経糸１２であるパイル糸が第一組織１４の外側には露出しないものである。これにより、例えば、発熱繊維のキュプラを経糸１２のパイル糸として用いても、外側にパイル糸が露出することがなく、第一組織１４の表面を害することがなく、外観を良好なものとすることができる。これにより、この縦編地１０を用いた保温衣服は、保温性が良く外観上も好ましい形態を有し、防寒着や運動着等に良好に用いることが出来る。
【００２１】
次に、この発明の経編地の第二実施形態について、図２を基にして説明する。ここで、上記実施形態と同様の部材は、同一の符号を付して説明を省略する。この実施形態の経編地２０は、第一組織１４の経糸１１の振り幅を１針分としたものである。その他の構成は、上記実施形態と同様である。
【００２２】
この実施形態の経編地２０によれば、より密な組織の経編地２０を形成することができる。
【００２３】
この発明の経編地を用いた保温衣服としては、運動用の上着やズボン、秋冬用の衣服、外套、婦人用パンツ、スポーツ用アンダーウエア、インナーウエア、下着、その他保温を必要とする衣料品に利用可能なものである。これらの保温衣服は、第三組織１６が衣服の内側に位置し、その内側に第二組織１５によるパイルが良好に位置しているものである。これにより、この保温衣服は保温性が高く、特に経糸１２にキュプラを用いた場合には、キュプラが発熱し、高い保温性を得ることができる。しかも、パイル糸が外側に露出せず、外観上も良好なものである。
【００２４】
なお、この発明の経編地は前記実施形態に限定されるものではなく、経糸１１，１２，１３の振り幅は、用途により適宜設定可能なものであり、例えば１針と２針の振り幅で、経糸の進行方向に振り幅を変えて繰り返すものや、経糸の振り方と振り幅の両方に変化をもたせて繰り返す編成方法でも良い。その他、編地の用途により、適宜の編み組織を組み合わせることができる。
【符号の説明】
【００２５】
１０  経編地
１１，１２，１３  経糸
１４  第一組織
１５  第二組織
１６  第三組織
Ｌ１，Ｌ２，Ｌ３  筬
【図１】
2013167030.tif 000003
【図２】
2013167030.tif 000004